(57)【要約】【課題】本発明の目的は、印刷装置の印刷濃度を所望の印刷濃度に近づけつつ、滑らかに変化させるように指示値を補正する画像処理装置、及び該画像処理装置を備えた画像形成装置を提供することにある。【解決手段】画像処理装置及び画像形成装置は、それぞれ絶対濃度に基づいた第１補正量と最大印刷濃度に基づいた第２補正量とを加重平均した第３補正量で指示値を補正するため、それぞれ実際の印刷濃度を所望の印刷濃度に近づけつつ、実際の印刷濃度を滑らかに変化させることができる。【選択図】図６
2015149574.tif 000002
【特許請求の範囲】
【請求項１】
指示値に応じた印刷濃度で画像を印刷する印刷装置に前記指示値を出力する画像処理装置であって、
複数の前記指示値に応じて前記印刷装置が出力する複数の前記印刷濃度が入力される入力部と、
前記指示値の最大値である最大指示値に応じて前記印刷装置が出力すべき印刷濃度である絶対濃度に基づいて前記指示値の第１補正量を算出する第１算出部と、
前記最大指示値に応じて前記印刷装置が出力する最大印刷濃度に基づいて該指示値の第２補正量を算出する第２算出部と、
前記第１補正量及び前記第２補正量を加重平均した第３補正量で該指示値を補正する補正部と、
を備えた画像処理装置。
【請求項２】
前記第１算出部は、
前記最大指示値及び前記絶対濃度に基づいて前記指示値に対応する第１目標値を算出し、
算出した前記第１目標値と該指示値に応じて出力される前記印刷濃度との差分を第１補正量として算出し、
前記第２算出部は、
前記最大指示値及び前記最大印刷濃度に基づいて該指示値に対応する第２目標値を算出し、
算出した前記第２目標値と該指示値に応じて出力される前記印刷濃度との差分を第２補正量として算出する、
請求項１に記載の画像処理装置。
【請求項３】
前記補正部は、加重平均の重みを変更する変更部を備える、
請求項１又は２に記載の画像処理装置。
【請求項４】
入力された画像データにおける領域の種類を判定する領域判定部をさらに備え、
前記変更部は、
前記領域判定部が図形領域と判定すると、前記第２補正量の重みよりも前記第１補正量の重みを増加させ、
前記領域判定部が文字領域と判定すると、前記第１補正量の重みよりも前記第２補正量の重みを増加させる、
請求項３に記載の画像処理装置。
【請求項５】
請求項１乃至４のいずれかに記載の画像処理装置と、
前記印刷装置と、
原稿の画像情報を読み取って画像データを生成し、生成した画像データを前記入力部に出力するスキャナ部と、
を備える画像形成装置。
【発明の詳細な説明】
【技術分野】
【０００１】
本発明は、印刷濃度を指示する指示値を出力して印刷装置に画像を印刷させるものであって、印刷装置の印刷濃度が所望の印刷濃度となるように指示値を補正する画像処理装置及び該画像処理装置を備えた画像形成装置に関するものである。
【背景技術】
【０００２】
従来、画像データに基づいて画像を形成する画像形成装置が知られている。より具体的には、画像形成装置は、画像データに含まれる画素の色成分毎の階調値に応じて印刷を行う。すなわち、階調値は、印刷濃度を指示する指示値である。
【０００３】
このような画像形成装置では、印刷された画像の印刷濃度が所望の印刷濃度となることが常に求められている。そこで、実際の印刷濃度と目標となる印刷濃度との差分をフィードバックして階調値（指示値）を補正することが提案されている。
【０００４】
例えば、特許文献１に示す画像形成装置は、所定のテストパターンを印刷し、印刷したテストパターンをスキャナで読み取ることにより、実際の印刷濃度を取得している。そして、特許文献１に示す画像形成装置は、所望の印刷濃度を示す絶対γ曲線を作成し、指示値０〜Ａの範囲（グレイ表色域）においては印刷濃度が絶対γ曲線が示す目標印刷濃度となるように指示値を補正している。また、特許文献１に示す画像形成装置は、実際の印刷濃度の最大値を結ぶ出力γ曲線を作成し、指示値Ａ〜２５５の範囲（グレイ表色域外。ただし指示値２５５は指示値の最大値である。）においては印刷濃度が出力γ曲線に示す目標印刷濃度となるように指示値を補正している。
【先行技術文献】
【特許文献】
【０００５】
【特許文献１】特開２０００−１１５５５６号公報
【発明の概要】
【発明が解決しようとする課題】
【０００６】
しかしながら、特許文献１に示す画像形成装置は、グレイ表色域とグレイ表色域外とで指示値の補正の方法が切り替わっているため、印刷濃度が指示値Ａに対応する点で急峻に変化してしまい、画質不良を発生させてしまう。
【０００７】
特に、絶対γ曲線が示す目標印刷濃度の最大値と、出力γ曲線が示す実際の印刷濃度の最大値との差が大きければ大きいほど、特許文献１に示す指示値の補正方法では印刷濃度は指示値Ａでより急峻に変化してしまう。
【０００８】
そこで、本発明の目的は、印刷装置の印刷濃度を所望の印刷濃度に近づけつつ、滑らかに変化させるように指示値を補正する画像処理装置、及び該画像処理装置を備えた画像形成装置を提供することにある。
【課題を解決するための手段】
【０００９】
本発明は、指示値に応じた印刷濃度で画像を印刷する印刷装置に前記指示値を出力する画像処理装置であって、複数の前記指示値に応じて前記印刷装置が出力する複数の前記印刷濃度が入力される入力部と、前記指示値の最大値である最大指示値に応じて前記印刷装置が出力すべき印刷濃度である絶対濃度に基づいて前記指示値の第１補正量を算出する第１算出部と、前記最大指示値に応じて前記印刷装置が出力する最大印刷濃度に基づいて該指示値の第２補正量を算出する第２算出部と、前記第１補正量及び前記第２補正量を加重平均した第３補正量で該指示値を補正する補正部と、を備える。
【００１０】
指示値は、例えば印刷装置が扱う色空間（ＣＭＹＫ）の階調値（中間調値）である。印刷装置によって出力される印刷濃度（最大印刷濃度を含む）は、印刷装置が実際に印刷したテストパターンをスキャナで読み取ることにより求められる。印刷装置によって出力される印刷濃度は、実際に印刷されなくても求められることが可能であり、例えば電子写真方式の印刷装置が装置内部の像担持体の周面に形成した像に光を当てて当該像からの反射光のレベルを取得することにより求められてもよい。印刷濃度は、指示値同様に、ＣＭＹＫの階調値として求められる。
【００１１】
第１算出部は、例えば指示値Ａに応じた実際の印刷濃度Ｂと、最大指示値Ａｍａｘで印刷装置が出力すべき印刷濃度の最大値である絶対濃度Ｂ１ｍａｘと、に基づいて以下のように第１補正量Ｃ１を求める。
【００１２】
Ｃ１  ＝  Ｂ１ｍａｘ×Ａ／Ａｍａｘ−Ｂ
すなわち、第１補正量Ｃ１は、指示値Ａで出力すべき目標印刷濃度（絶対濃度Ｂ１ｍａｘから比例計算される）と、実際の印刷濃度Ｂと、の差分である。第１補正量Ｃ１は、絶対濃度Ｂ１ｍａｘに基づくため、所望の印刷濃度を反映する。
【００１３】
ただし、第１算出部は、上述の方法に限らず、絶対濃度Ｂ１ｍａｘ点を結び、かつ所望の印刷濃度を示す絶対γ曲線を作成して、絶対γ曲線に示す目標印刷濃度と実際の印刷濃度Ｂとの差分を第１補正量Ｃ１としても構わない。
【００１４】
第２算出部は、指示値Ａに応じた実際の印刷濃度Ｂと最大指示値Ａｍａｘに応じた最大印刷濃度Ｂ２ｍａｘとに基づいて以下のように第２補正量Ｃ２を求める。ただし、最大印刷濃度Ｂ２ｍａｘは、実際に出力された印刷濃度の最大値である。
【００１５】
Ｃ２  ＝  Ｂ２ｍａｘ×Ａ／Ａｍａｘ−Ｂ
すなわち、第２補正量Ｃ２は、指示値Ａで出力すべき目標印刷濃度（最大印刷濃度Ｂ２ｍａｘから比例計算される）と、実際の印刷濃度Ｂと、の差分である。第２補正量Ｃ２は、最大印刷濃度Ｂ２ｍａｘを反映する。
【００１６】
本発明の画像処理装置は、所望の印刷濃度を反映する第１補正量と、最大印刷濃度を反映する第２補正量とを加重平均することにより第３補正量を算出し、第３補正量で指示値を補正するものである。すなわち、本発明の画像処理装置は、特定の指示値で補正量の算出方法を切り替えない。これにより、本発明の画像処理装置は、実際の印刷濃度を所望の印刷濃度に近づけつつ、急峻に変化させないように指示値を補正することができる。
【発明の効果】
【００１７】
本発明によれば、画像処理装置及び画像形成装置は、それぞれ絶対濃度に基づいた第１補正量と最大印刷濃度に基づいた第２補正量とを加重平均した第３補正量で指示値を補正するため、それぞれ実際の印刷濃度を所望の印刷濃度に近づけつつ、滑らかに変化させることができる。
【図面の簡単な説明】
【００１８】
【図１】実施形態１に係る画像形成装置の機能及び構成を示すブロック図である。
【図２】測定モードにおける制御部の動作を示すフローチャートである。
【図３】印刷濃度測定に用いられるテストパターンを示す図である。
【図４】補正量算出に係る制御部の動作を示すフローチャートである。
【図５】（Ａ）及び（Ｂ）は、それぞれ２つの目標γ直線と、補正処理前の出力γ曲線とを示す模式図である。
【図６】補正処理後の出力γ曲線を示す模式図である。
【図７】（Ａ）は、２つの目標γ直線と補正処理前の出力γ曲線とを示す模式図であり、（Ｂ）は、補正処理後の出力γ曲線を示す模式図である。
【図８】実施形態２に係る画像形成装置の機能及び構成を示すブロック図である。
【図９】実施形態３に係る画像形成装置の機能及び構成を示すブロック図である。
【発明を実施するための形態】
【００１９】
図１に示すように、実施形態１に係る画像形成装置１０は、画像入力装置１００、画像処理装置２００、画像出力装置３００及び制御部４００を備える。
【００２０】
制御部４００は、画像入力装置１００、画像処理装置２００、及び画像出力装置３００を統括的に制御する。画像出力装置３００は、本発明の印刷装置に相当し、画像処理装置２００が出力した印刷濃度を示す指示値に基づいて印刷を行って、画像を用紙に形成する。画像形成装置１０は、画像処理装置２００が指示値を補正して出力することにより、所望の印刷濃度で画像出力装置３００に印刷をさせるものである。
【００２１】
画像入力装置１００は、原稿の画像情報を読み取るスキャナである。画像入力装置１００は、読み取った画像情報を例えばＲＧＢ信号として画像処理装置２００に出力する。
【００２２】
画像処理装置２００は、入力部２０１、色空間変換部２０２、出力階調補正部２０３、階調再現部２０４、及び記憶部２０５を備えている。
【００２３】
入力部２０１には、画像入力装置１００から出力されたＲＧＢ信号が入力される。入力部２０１は、入力されたＲＧＢ信号をＡ／Ｄ変換して、変換後のＲＧＢデータを色空間変換部２０２に出力する。また、入力部２０１には、他の外部装置（例えばＰＣ）からＲＧＢデータからなる画像データが入力される。
【００２４】
色空間変換部２０２は、画像出力装置３００が扱う色成分に変換するために色空間を変換する。例えば、色空間変換部２０２は、入力されたＲＧＢデータをＣＭＹＫデータに変換する。色空間の変換は、例えば行列計算によって行われる。変換後のＣＭＹＫデータは、出力階調補正部２０３に出力される。
【００２５】
なお、入力部２０１と色空間変換部２０２との間に画像処理に関する各種機能部を備えてもよい。各種機能部としては、画像入力装置１００の光学系及び撮像系に発生する輝度ムラを除去するシェーディング補正部、画像データのカラーバランス及び輝度を調整する色補正部、並びに画像データにおける文字等のエッジを強調するエッジ補正部が存在する。ただし、これら各種機能部は、色空間変換部２０２の後段に備えられてもよい。
【００２６】
出力階調補正部２０３は、画像出力装置３００が所望の印刷濃度で印刷するように、記憶部２０５に記憶された補正量を用いてＣＭＹＫデータを補正して階調再現部２０４に出力する。補正量の詳細な説明は後述する。
【００２７】
階調再現部２０４は、組織的ディザ法や誤差拡散法などの中間調処理（ハーフトーン処理）を行う。例えば、階調再現部２０４は、入力されたＣＭＹＫデータの階調値に応じたディザパターンのデータを生成して色成分（ＣＭＹＫ）毎の印刷指示信号を画像出力装置３００に出力する。
【００２８】
画像出力装置３００は、画像処理装置２００が出力した色成分毎の印刷指示信号に基づいて印刷を行って用紙に画像を形成する。すなわち、画像処理装置２００が処理するＣＭＹＫデータに含まれる階調値は、画像出力装置３００の印刷濃度を指示するものである。画像形成装置１０は、この印刷濃度を指示するＣＭＹＫデータを出力階調補正部２０３で補正する前に、測定モードで動作して、以下のように補正量を算出して記憶部２０５に記憶する。
【００２９】
図２に示すように、まず、制御部４００は、画像出力装置３００の印刷濃度を測定する（Ｓ１）。例えば、制御部４００は、出力階調補正部２０３を機能させない状態で、テストパターンの画像データを入力部２０１に入力して、テストパターンの画像を画像出力装置３００に印刷させる。すなわち、制御部４００は、出力階調補正部２０３によるＣＭＹＫデータへの補正がない状態で、画像出力装置３００にテストパターンの画像を印刷させる。
【００３０】
図３に示すように、例えば、テストパターンの画像データには、ＣＭＹＫデータの階調値０から階調値２５５までの画像が複数含まれる。これら階調値は、印刷濃度を指示する指示値に対応し、階調値２５５が指示値の最大値である最大指示値に対応する。そして、画像入力装置１００は、印刷されたテストパターンの画像情報を読み取る。読み取られた画像情報のＲＧＢデータは、色空間変換部２０２でＣＭＹＫデータに変換される。制御部４００は、変換されたＣＭＹＫデータの階調値を印刷濃度として複数取得する。制御部４００は、取得した各印刷濃度を、テストパターンの各階調値に対応付けて一時記憶する。ここで、制御部４００は、階調値２５５の画像に対応する印刷濃度を最大印刷濃度として扱う。制御部４００は、上述の測定をＣＭＹＫデータの色成分毎に行う。
【００３１】
なお、印刷濃度は、画像出力装置３００が電子写真方式で印刷を行う場合、像担持体に形成された像にレーザ光を照射して得られる反射光のレベルに基づいて求められてもよい。
【００３２】
次に、制御部４００は、指示値である階調値の補正量を算出する（Ｓ２）。階調値の補正量は、階調値毎に算出される。より具体的には、制御部４００は、ステップＳ１で取得した階調値と印刷濃度との複数の組を用いて、以下のステップで階調値毎の補正量を算出する。
【００３３】
図４に示すように、まず、制御部４００は、色成分毎及び階調値毎に、補正量Ａを算出し（Ｓ１１）、補正量Ｂを算出する（Ｓ１２）。すなわち、制御部４００は、本発明の第１算出部及び第２算出部に相当する。ただし、制御部４００は、補正量Ｂの算出を補正量Ａの算出より先に行ってもよいし、並列処理で補正量Ａ及び補正量Ｂの算出を行ってもよい。以下、ステップＳ１１及びステップＳ１２の処理について、図５（Ａ）、図５（Ｂ）及び図６を用いて説明する。
【００３４】
図５（Ａ）に示すように、より具体的には、制御部４００は、出力γ曲線（図５（Ａ）の実線に示す）を作成する。出力γ曲線は、ステップＳ１で取得された階調値（指示値）及び印刷濃度からなる複数の印刷濃度点を結ぶように作成される。印刷濃度点間の印刷濃度は、補間によって求められる。この補間は、一般的な方法で行われ、例えば、線形方法、最小二乗法、及びスプライン法によって行われる。この補間により、出力γ曲線に示す各印刷濃度は、実際に出力された印刷濃度とみなされる。
【００３５】
制御部４００は、最大指示値と、該最大指示値で出力すべき絶対濃度とからなる絶対濃度点９００を結ぶ目標γ直線１（図５（Ａ）の点線に示す。）を作成する。目標γ直線１は、画像出力装置３００の所望の印刷濃度を示す。そして、制御部４００は、指示値ｉで出力された印刷濃度（印刷濃度点９０２に示す）と、指示値ｉに対応する目標γ直線１上の印刷濃度点９０３の目標印刷濃度との差分を補正量Ａｉとして算出する。なお、目標γ直線１は、曲線状であっても構わない。
【００３６】
同様に、制御部４００は、最大指示値と、最大印刷濃度とからなる最大印刷濃度点９０１を結ぶ目標γ直線２（図５（Ａ）の破線に示す。）を作成する。そして、制御部４００は、印刷濃度点９０２の印刷濃度と、指示値ｉに対応する目標γ直線２上の印刷濃度点９０４の目標印刷濃度との差分を補正量Ｂｉとして算出する。
【００３７】
補正量Ａは、最大印刷濃度点９０１の最大印刷濃度を考慮して制限される。より具体的には、図５（Ｂ）に示すように、指示値ｊに対応する目標γ直線１上の印刷濃度点９０３’の目標印刷濃度が最大印刷濃度点９０１の印刷濃度より高い場合、制御部４００は、印刷濃度点９０３’の目標印刷濃度を最大印刷濃度点９０１の最大印刷濃度に制限して印刷濃度点９０２’の印刷濃度との差分Ａｊを算出する。
【００３８】
以上のように、制御部４００は、色成分毎及び指示値（階調値）毎に補正量Ａ及び補正量Ｂを算出する。ただし、目標γ直線１及び目標γ直線２は、それぞれ補正量Ａ及び補正量Ｂの算出のためのみに作成されるため、制御部４００は、目標γ直線１及び目標γ直線２を作成せずに、最大指示値、絶対濃度及び最大印刷濃度を用いた比例計算を行うだけで、階調値毎に補正量Ａ及び補正量Ｂを算出しても構わない。
【００３９】
図２に戻り、制御部４００は、色成分毎及び指示値毎に算出した補正量Ａ及び補正量Ｂを記憶部２０５に記憶させる（Ｓ３）。
【００４０】
画像形成装置１０は、測定モードにおいて、色成分毎及び階調値毎に補正量Ａ及び補正量Ｂを記憶すると、印刷モード（出力階調補正部２０３を機能させた状態）において、記憶済みの補正量Ａ及び補正量Ｂを用いてＣＭＹＫデータの階調値を補正する。
【００４１】
より具体的には、出力階調補正部２０３は、記憶部２０５から補正量Ａ及び補正量Ｂを読み出して、以下の式によって補正量Ｃを算出する。
【００４２】
Ｃ  ＝  ｗＡ×Ａ  ＋  ｗＢ×Ｂ
ただし、０＜ｗＡ＜１、０＜ｗＢ＜１、ｗＡ＋ｗＢ＝１
すなわち、補正量Ｃは、重みｗＡ及び重みｗＢを用いた補正量Ａ及び補正量Ｂの加重平均値である。例えば、重みｗＡ及び重みｗＢは、それぞれ０．５に設定される。
【００４３】
そして、出力階調補正部２０３は、例えば、ＣＭＹＫデータのうち色成分Ｍの階調値Ｍｉを以下のように補正する。
【００４４】
Ｍｉ’  ＝  Ｍｉ  ＋  ｋＭ×ＣＭｉ
ただし、０＜ｋＭ≦１
すなわち、補正後の階調値Ｍｉ’は、色成分Ｍの階調値Ｍｉに対応する補正量ＣＭｉに所定係数ｋＭを乗じた量で補正される。
【００４５】
図６に示すように、階調値の補正処理後の出力γ曲線（実線に示す）は、絶対濃度点９００を結ぶ目標γ直線１（点線に示す）に近づきつつ、最大印刷濃度点９０１まで滑らかに変化する。すなわち、画像処理装置２００は、実際の印刷濃度を所望の印刷濃度に近づけつつ、最大印刷濃度まで印刷濃度が滑らかに変化するように階調値を補正することができる。特に、画像処理装置２００は、特定の階調値を基準にして補正量の算出方法を切り替えていないため、最大印刷濃度と絶対濃度との差が大きくても、滑らかに印刷濃度を変化させることができる。
【００４６】
図５（Ａ）及び図５（Ｂ）に示す例は、測定モードにおいて、すなわち指示値の補正がない状態で実際の印刷濃度が所望の印刷濃度より低い場合であったが、実施形態１に係る指示値の補正方法は、実際の印刷濃度が所望の印刷濃度より高い場合であっても適用可能である。
【００４７】
図７（Ａ）に示すように、最大印刷濃度点９１１の最大印刷濃度が絶対濃度点９００の絶対濃度より高い場合であっても、画像処理装置２００は、指示値を補正して、図７（Ｂ）に示すように、印刷濃度を目標γ直線１に近づけつつ、印刷濃度を最大印刷濃度点９１１まで滑らかに変化させることができる。なお、図７（Ａ）及び図７（Ｂ）に示す例においても、図５（Ａ）及び図５（Ｂ）に示す例と同様に、補正処理後の印刷濃度の最大値が最大印刷濃度点９１１の印刷濃度となるように、補正量Ａ（目標γ直線１との差分）は最大指示値で０となるように調整される。
【００４８】
なお、上述の例では、出力階調補正部２０３が印刷モードにおいて補正量Ｃを算出していたが、制御部４００が測定モードで補正量Ｃを予め算出して記憶部２０５に記憶させる態様であっても構わない。この場合、画像処理装置２００は、印刷モードで補正量Ｃの算出を行う必要が無いため、計算処理の負担が軽減される。
【００４９】
図８に示すように、実施形態２に係る画像形成装置１０Ａは、画像処理装置２００Ａが出力階調補正部２０３Ａ、変更部２０６及びユーザＩ／Ｆ２０７を備える点で画像形成装置１０と相違する。画像形成装置１０Ａは、補正量Ａ及び補正量Ｂの加重値（重みｗＡ及び重みｗＢ）を変更して補正量Ｃを算出するものである。
【００５０】
より具体的には、変更部２０６は、ユーザＩ／Ｆ２０７で受け付けたユーザからの操作入力に基づいて重みｗＡ及び重みｗＢを変更する。
【００５１】
出力階調補正部２０３Ａは、印刷モードにおいて、記憶部２０５に記憶された補正量Ａ及び補正量Ｂを読み出して、変更部２０６から出力された重みｗＡ及び重みｗＢを用いて補正量Ｃを算出してＣＭＹＫデータを補正する。
【００５２】
重みｗＡが大きければ大きいほど、補正処理後の出力γ曲線は、所望の印刷濃度を示す目標γ直線１に近づく。重みｗＢが大きければ大きいほど、補正処理後の出力γ曲線は、目標γ直線２に近づいて、印刷濃度が最大印刷濃度までより滑らかに変化する。
【００５３】
変更部２０６は、画像出力装置３００の最大印刷濃度に応じて重みｗＡ及び重みｗＢを変更してもよい。例えば、変更部２０６は、絶対濃度が最大印刷濃度より高い場合、重みｗＢを増加させる。また、変更部２０６は、最大印刷濃度が絶対濃度より高い場合、重みｗＡを増加させる。画像出力装置３００が電子写真方式で印刷を行うものであり、かつ最大印刷濃度が絶対濃度より高い場合、重みｗＡが増加すると、画像出力装置３００の無駄なトナー消費量は減少する。
【００５４】
図９に示すように、実施形態３に係る画像形成装置１０Ｂは、画像処理装置２００Ｂが変更部２０６Ｂ及び領域判定部２０８を備える点において画像形成装置１０Ａと相違する。すなわち、画像形成装置１０Ｂは、印刷すべき画像の領域を判定して、判定結果に基づいて重みｗＡ及び重みｗＢを変更し、領域に応じた印刷濃度で当該画像を印刷するものである。
【００５５】
領域判定部２０８は、入力部２０１から出力されたＲＧＢデータの画像特徴量に基づいて画像の領域を判定する。例えば、領域判定部２０８は、画像データの各画素を縦横に走査することにより、線密度が比較的密な領域を文字領域と判定し、線密度が比較的疎な領域を図形領域と判定する。領域判定部２０８は、判定結果である領域の種類を示す信号を変更部２０６Ｂに出力する。ただし、画像データの領域の判定は、他の方法で行われてもよい。
【００５６】
変更部２０６Ｂは、領域判定部２０８から出力された領域の種類を示す信号に基づいて重みｗＡ及び重みｗＢを変更する。例えば、変更部２０６Ｂは、図形領域を示す信号を受信すると、重みｗＡを増加させる。すると、図形領域（例えば写真）は、所望の印刷濃度により近い印刷濃度で階調表現される。また、例えば、変更部２０６Ｂは、文字領域を示す信号を受信すると重みｗＢを増加させる。すると、文字領域は、最大指示値では最大印刷濃度により近い印刷濃度で印刷される。すなわち、画像処理装置２００Ｂは、最大指示値であっても中間調処理することによって文字領域の文字のドットが欠けてしまうことを最小限に抑えることができる。
【００５７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１０，１０Ａ，１０Ｂ…画像形成装置
１００…画像入力装置
２００，２００Ａ，２００Ｂ…画像処理装置
２０１…入力部
２０２…色空間変換部
２０３，２０３Ａ…出力階調補正部
２０４…階調再現部
２０５…記憶部
２０６，２０６Ｂ…変更部
２０７…ユーザＩ／Ｆ
２０８…領域判定部
３００…画像出力装置
４００…制御部
【図１】
2015149574.tif 000003
【図２】
2015149574.tif 000004
【図３】
2015149574.tif 000005
【図４】
2015149574.tif 000006
【図５】
2015149574.tif 000007
【図６】
2015149574.tif 000008
【図７】
2015149574.tif 000009
【図８】
2015149574.tif 000010
【図９】
2015149574.tif 000011